(57)【要約】【課題】配線装置用アダプタの取り付け作業を簡単かつ確実に行うことができる配線装置用アダプタおよび配線装置を提供する。【解決手段】サポート１２に保持された配線器具１１の表面を臨ませる開口部１３ａを形成した枠体１３ｂと；枠体に形成され、枠体の表面側の一部とサポートの裏面側の一部とを対向させて係合することにより枠体とサポートを一体化させる係合部１３ｃと；枠体に形成され、前記係合部を覆うと共に配線器具の表面を臨ませる窓孔１５ａを形成した化粧板１５を着脱可能に係止する係止部１３ｄと；を具備する配線装置用アダプタ１３を構成する。【選択図】        図１
2011036021.tif 000002
【特許請求の範囲】
【請求項１】
サポートに保持された配線器具の表面を臨ませる開口部を形成した枠体と；
枠体に形成され、枠体の表面側の一部とサポートの裏面側の一部とを対向させて係合することにより枠体とサポートを一体化させる係合部と；
枠体に形成され、前記係合部を覆うと共に配線器具の表面を臨ませる窓孔を形成した化粧板を着脱可能に係止する係止部と；
を具備していることを特徴とする配線装置用アダプタ。
【請求項２】
前記係合部は、サポートの配線器具を保持する取付孔の長手方向に直交する枠体の対向する辺にそれぞれ形成したことを特徴とする請求項１記載の配線装置用アダプタ。
【請求項３】
配線器具と；
請求項１または２記載の配線装置用アダプタと一体化されて被取付部材の設置孔に支持されるサポートからなるサポートユニットと；
配線装置用アダプタに着脱可能に係止され配線器具の表面を臨ませる窓孔を形成した化粧板と；
を具備していることを特徴とする配線装置。
【発明の詳細な説明】
【技術分野】
【０００１】
本発明は、建物の壁面等にコンセントやスイッチなどの配線器具を設置するための配線装置用アダプタおよび配線装置に関する。
【背景技術】
【０００２】
この種、配線装置は、例えば、特許文献１に示されるように、配線器具を壁面に固定するためのサポートと、プレートユニットとが組み合わせて施工される。プレートユニットは配線装置用アダプタと化粧板の２部品からなり、配線装置用アダプタはサポートにねじで取り付けられ、化粧板はサポートに取り付けられた配線装置用アダプタに着脱自在に係止させて取り付けられている。
【先行技術文献】
【特許文献】
【０００３】
【特許文献１】特開平８−２７３７６９号公報
【発明の概要】
【発明が解決しようとする課題】
【０００４】
上記のように構成された配線装置は、その施工に際して壁面の取付部にサポートをねじ止めし、さらにこのサポートに対して配線装置用アダプタを取り付ける作業が必要となる。この作業はサポートおよび配線装置用アダプタの上下２箇所に対して小さなねじを用いて行うため、ねじ込み作業の回数が多くなり施工が面倒となる。このため、この種の配線装置において、配線装置用アダプタのサポートへの取付作業を如何に簡単かつ確実に行えるようにするかが課題となっている。
【０００５】
本発明は、上記の課題に鑑みなされたもので、配線装置用アダプタの取り付け作業を簡単かつ確実に行うことができる配線装置用アダプタおよび配線装置を提供しようとするものである。
【課題を解決するための手段】
【０００６】
請求項１に記載の配線装置用アダプタの発明は、サポートに保持された配線器具の表面を臨ませる開口部を形成した枠体と；枠体に形成され、枠体の表面側の一部とサポートの裏面側の一部とを対向させて係合することにより枠体とサポートを一体化させる係合部と；枠体に形成され、前記係合部を覆うと共に配線器具の表面を臨ませる窓孔を形成した化粧板を着脱可能に係止する係止部と；を具備していることを特徴とする。本発明によれば、枠体の表面側の一部とサポートの裏面側の一部とを対向させて係合することにより枠体とサポートを一体化させる係合部により、配線装置用アダプタの取り付け作業を簡単かつ確実に行うことが可能となる。
【０００７】
本発明において、配線器具は、各種電気機器を商用電源に接続するためのコンセント、電気機器と商用電源との接続をＯＮ／ＯＦＦするためのスイッチ等が許容されるが、例えば、ＴＶアンテナとＴＶ受像機とを接続するためのアンテナ端子、電話機の接続端子、マルチメディア端子などの配線器具であってもよい。本発明において、配線器具の表面とは、コンセントであれば、一対の差込口がある面、スイッチであれば操作ボタンがある面であり、設置状態で操作ができるように壁面から露出される面である。
【０００８】
配線装置用アダプタは、サポートに保持された配線器具の表面を臨ませるための縦長矩形状の開口部を形成した縦長矩形状の枠体で構成することが許容されるが、例えば、複数の配線器具を横方向に集中して設置する多連式で設置する場合には、横長矩形状であってもよく、枠体の形状、開口部の形状および開口面積等は、各種の形状・寸法・設置個数等によって異なるもので、これら多様な配線器具の表面を臨ませることが可能で、かつ枠体としての強度を保持することが可能なものであればよく、特定の形状には限定されない。材質は、枠体として撓ませることができ、かつ電気絶縁性を有し、弾性を有するように形成できる合成樹脂で構成することが好適であるが、他の材質、例えば、パルプ材や金属板をプレス加工したもので構成されたもの、さらには、これら材質を組み合わせたものであってもよい。本発明において、枠体の表面側とは、配線器具の表面が臨む側の面であり、サポートの裏面側とは、壁面等の被取付部材に対向される側の面である。
【０００９】
枠体の表面側の一部とサポートの裏面側の一部とを対向させて係合することにより枠体とサポートを一体化させる係合部は、例えば、配線装置用アダプタに係合凹部をサポートに係合凸部を形成し、この凹部と凸部を係合させて枠体とサポートを一体化させることが好ましいが、サポート側の係合凸部は、専用の凸部を形成することなく既存の凸部を利用するものであてもよい。また、上記とは逆に、配線装置用アダプタに係合凸部をサポートに係合凹部を形成してもよい。
【００１０】
係合部によって一体化される配線装置用アダプタとサポートは、着脱が可能になるように、一体化されることが好ましいが、それぞれを、例えば、接着剤等で固着して着脱ができないように一体化されたものであってもよい。
【００１１】
また、係合部は、サポートの配線器具を保持する取付孔の長手方向に直交する枠体の対向する辺にそれぞれ形成することが、枠体の撓みを利用して係合部をサポートに係合させるためには好ましいが、取付孔の長手方向に平行する枠体の対向する辺にそれぞれ形成したものであってもよい。係合部は、各辺に２個程度形成することが好ましいが、１個であっても、または、１辺は２個、他の辺は１個など、各種個数を組み合わせてもよい。
【００１２】
請求項２に記載の発明は、請求項１記載の配線装置用アダプタにおいて、前記係合部は、サポートの配線器具を保持する取付孔の長手方向に直交する枠体の対向する辺にそれぞれ形成したことを特徴とする。本発明によれば、枠体の撓みを利用して配線装置用アダプタの係合部をサポートに係合させることができ、施工性を一層向上させることが可能となる。
【００１３】
本発明において、サポートの取付孔の長手方向に直交する枠体の対向する辺は、サポートの取付孔の長手方向に対して、幾何学的に完全に直交して位置していることが条件ではなく、完全に直交して位置していても略直交して位置していてもよく、要は枠体の撓みを利用して配線装置用アダプタの係合部をサポートに係合させることが容易になるようにした辺に係合部が形成されていればよい。
【００１４】
請求項３に記載の配線装置の発明は、配線器具と；請求項１または２記載の配線装置用アダプタと一体化されて被取付部材の設置孔に支持されるサポートからなるサポートユニットと；配線装置用アダプタに着脱可能に係止され配線器具の表面を臨ませる窓孔を形成した化粧板と；を具備していることを特徴とする。本発明によれば、請求項１または２記載の配線装置用アダプタと一体化されて被取付部材の設置孔に支持されるサポートからなるサポートユニットにより、配線装置用アダプタの取り付け作業を簡単かつ確実に行うことが可能となる。
【００１５】
本発明において、被取付部材は、一般的には建物の壁面が許容されるが、天井面や床面等他の部材であってもよく、配線器具を設置するための全ての部材が許容される。また、被取付部材の設置孔に支持されるサポートは、一般的には設置孔の内方に設けられる配線ボックスに支持されるが、例えば、ボックスレス工事の場合に使用されるＵ字形状をなすパネル押さえ金具等、他の部材に支持されるものであってもよい。
【発明の効果】
【００１６】
請求項１記載の発明によれば、枠体の表面側の一部とサポートの裏面側の一部とを対向させて係合することにより枠体とサポートを一体化させる係合部により、配線装置用アダプタの取り付け作業を簡単かつ確実に行うことが可能な配線装置用アダプタを提供することができる。
【００１７】
請求項２記載の発明によれば、枠体の撓みを利用して配線装置用アダプタの係合部をサポートに係合させることができ、施工性を一層向上させることが可能な配線装置用アダプタを提供することができる。
【００１８】
請求項３記載の発明によれば、請求項１または２記載の配線装置用アダプタと一体化されて被取付部材の設置孔に支持されるサポートからなるサポートユニットにより、配線装置用アダプタの取り付け作業を簡単かつ確実に行うことが可能な配線装置を提供することができる。
【図面の簡単な説明】
【００１９】
【図１】本発明の第１実施形態である配線装置を示し、（ａ）は設置状態を分解して示す斜視図、（ｂ）は（ａ）図におけるＢ部を拡大して示す斜視図、（ｃ）は（ｂ）図におけるｃ−ｃ線に沿う断面図。
【図２】同じく配線装置を示し（ａ）は配線装置用アダプタとサポートを一体化したサポートユニットを、図１（ａ）のＡ−Ａ線に沿って断面した縦断面図、（ｂ）は配線装置を設置した状態を、図１（ａ）のＡ−Ａ線に沿って断面した縦断面図。
【図３】同じく配線装置の要部を拡大して示し、（ａ）は本実施例における要部の断面図、（ｂ）は他の方式における要部の断面図。
【図４】同じく配線装置の変形例を示し、（ａ）は第１の変形例におけるサポートの斜視図、（ｂ）は第２の変形例における要部を拡大して示す断面図、（ｃ）は第２の変形例におけるサポートの斜視図。
【図５】同じく配線装置の第３の変形例における設置状態を、化粧板を省略し分解して示す斜視図。
【発明を実施するための形態】
【００２０】
以下、本発明の配線装置用アダプタおよび配線装置の実施形態について説明する。
【実施例１】
【００２１】
図１および図２に示すように、本実施例の配線装置１０は、配線器具１１、サポート１２および配線装置用アダプタ１３からなるサポートユニット１４、化粧板１５で構成される。本実施例におけるサポートユニット１４は、配線装置用アダプタ（以下単に「アダプタ１３」と称す）と一体化されて壁面の設置孔に支持されるサポート１２からなる。配線器具１１は、本実施例では各種の電気機器を商用電源に接続するための既存の一口のコンセントで構成する。
【００２２】
サポートユニット１４を構成する一方の部材であるサポート１２は、亜鉛クロマイトメッキを施した鉄（ＳＰＣＣ）などの金属製の枠部１２ａを有し、枠部の内側に各種の配線器具、本実施例ではコンセント１１を、縦に最大３個、取付可能な縦長矩形状の取付孔１２ｂおよび取付孔の長辺に対向して、公知の一対の器具支持部（図示せず）を、最大３個のコンセントに対応して３箇所に形成する。
【００２３】
また枠部１２ａの縦長矩形状の取付孔１２ｂの長手方向に沿う中心線ｘ−ｘに直交する線ｙ−ｙに位置する各辺（図中上下の辺）の先端部に一対の係合凸部１２ｃを、上下２個づつ、合計で４個一体に形成する。図中１２ｄは、上下の辺に貫通して形成された壁面取り付け用のねじ２２を挿通するための長孔である。
【００２４】
サポートユニット１４を構成する他方の部材であるアダプタ１３は、サポート１２に保持されたコンセント１１の表面を臨ませる縦長矩形状の開口部１３ａを形成した合成樹脂製の縦長矩形状の枠体１３ｂで構成する。この枠体１３ｂには、サポート１２の枠部１２ａの縦長矩形状の取付孔１２ｂの長手方向に沿う中心線ｘ−ｘに直交するｙ−ｙ線側に位置する各辺（図中上下の辺）に一対の係合部１３ｃ、本実施例では係合凹部１３ｃを、上下２個づつ、合計で４個一体に形成する。この４個の係合凹部１３ｃはそれぞれが同一の形状をなしており、図１（ｂ）（ｃ）に詳細に示すように、枠体１３ｂの裏面側から表面側に貫通する孔部１３ｃ１と、孔部に連接して表面側に開口する凹所１３ｃ２が形成されている。
【００２５】
この凹所１３ｃ２の面積および深さ寸法ａは、サポート１２の係合凸部１２ｃの面積および厚さ寸法と略等しい寸法となるように構成する。この４個の係合凹部１３ｃは、サポート１２の係合凸部１２ｃと対向する位置に形成され、それぞれの係合凸部１２ｃを係合凹部１３ｃの孔部１３ｃ１に対して、図１（ｃ）中矢印で示すように挿入し、係合凸部１２ｃを係合凹部１３ｃの凹所１３ｃ２に嵌めこみ、係合凸部１２ｃの両方の肩部１２ｃ１を係合凹部１３ｃの孔部１３ｃ１と凹所１３ｃ２の境目に形成される段部１３ｃ３に係合させる（図２（ａ））。これにより、アダプタ１３の枠体１３ｂの表面側の一部（凹所１３ｃ２の表面）をサポート１２の裏面側の一部（係合凸部１２ｃの裏面）に対向させて係合することができ、アダプタ１３とサポート１２を一体化させ、サポートユニット１４が構成される（図２（ａ））。
【００２６】
図中１３ｄは、サポート１２の枠部１２ａの縦長の取付孔１２ｂの長手方向に沿う中心線ｘ−ｘと平行する枠体１３ｂの辺（図中左右の辺）に３個づつ形成された係止孔で、化粧板１５を着脱可能に係止するための係止部である。
【００２７】
化粧板１５は、アダプタ１３の全外周縁と一致する形状の浅い皿状をなす合成樹脂で構成され、アダプタ１３の係合凹部１３ｃ等を覆うと共に、サポート１２に保持されたコンセント１１の表面を臨ませる窓孔１５ａを形成する。また、化粧板１５の裏面側には、アダプタ１３の係止孔１３ｄに対向して、係止孔１３ｄと同数の係止爪１５ｂを一体に形成する。
【００２８】
次に、上記に構成された配線装置の施工手順につき説明する。本発明における被取付部材を構成する建物の壁面Ｘには、設置孔２０が形成され、設置孔の内方には合成樹脂からなる配線ボックス２１が設置され電線Ｗが引き出されている（図２）。
【００２９】
まず、配線ボックス２１に引き出された電線ｗをコンセント１１に接続し、この１個のコンセント１１をサポート１２の取付孔１２ｂに対し、上下の中間部分に位置させて公知の係止手段により保持させる。
【００３０】
次に、コンセント１１を保持したサポート１２に対してアダプタ１３を係合して一体化する。これは、先ず、サポート１２の上方の２個の係合凸部１２ｃに対して、アダプタ１３の上方の辺の２個の係合凹部１３ｃを図１（ｃ）に矢印で示すように挿入して係合する。
【００３１】
次にアダプタ１３の枠体１３ｂを合成樹脂の弾性を利用し、縦長矩形状をなす枠体１３ｂの長手方向に沿って中間部分が外方に湾曲するように撓ませ、サポート１２の下方の２個の係合凸部１２ｃに対して、アダプタ１３の下方の辺の２個の係合凹部１３ｃを挿入して係合し、サポート１２とアダプタ１３を一体化させてサポートユニット１４を構成する（図２（ａ））。この際、アダプタ１３の係合凹部１３ｃは、サポート１２の配線器具１１を保持する取付孔１２ｂの長手方向に沿う中心線ｘ−ｘに直交する線ｙ−ｙ側の枠体１３ｂの対向する辺にそれぞれ形成してあるので、縦長矩形状をなすアダプタ１３は枠体１３ｂの長手方向に沿って合成樹脂の弾性を利用し容易に外方に湾曲するように撓ませることができる。
【００３２】
次に、アダプタ１３と一体化されたサポート１２の上下の端部を設置孔２０の上下に位置する壁面Ｘに当接しながらサポート１２の長孔１２ｄと配線ボックス２１のネジ孔２１ａを合致させ、長ねじ２２をねじ込んでサポート１２を壁面Ｘに支持する。この長ねじ２２のねじ込みによりサポート１２に一体化されたアダプタ１３も同時に壁面Ｘに当接されて支持される。詳細には、図２（ｂ）および図３（ａ）に示すように、長ねじ２２をねじ込むことによりサポート１２の係合凸部１２ｃの裏面が、アダプタ１３における係合凹部１３ｃの表面側に開口する凹所１３ｃ２を、表面側から壁面方向（図中右方）に向けて押圧する。
【００３３】
これによって、アダプタ１３の外周縁部の裏面側が壁面Ｘに隙間なく密着し、一体化されたサポート１２と共に確実に支持される。この際、従来のように、壁面に支持されたサポートに対してアダプタを小さなねじにより取り付ける面倒な作業がなくなる。
【００３４】
次に、壁面Ｘに支持されたアダプタ１３を覆うようにして、化粧板１５を被せ、その係止爪１５ｂをアダプタ１３の係合孔１３ｄに嵌めこみ係止させる。これにより、配線装置１０の壁面Ｘへの設置作業が終了する。
【００３５】
また、コンセント１１を交換する場合には、上記手順と逆の手順で取り外せばよい。すなわち、まず、マイナスドライバの薄い先端を化粧板１５とアダプタ１３との接合面に挿入してこじ開け、係止爪１５ｂと係止孔１３ｄの係止状態を解除して化粧板１５をアダプタ１３から取り外す。
【００３６】
次に、露出した長ねじ２２を外してサポート１２を配線ボックス２１から取り外す。この場合、サポート１２とアダプタ１３は一体化されているので、アダプタ１３はサポート１２を取り外すことにより同時に外される。この際、従来のように、壁面に支持されたサポートに対して、小さなねじを外してアダプタを取り外す面倒な作業がなくなる。また、一体化されたサポート１２とアダプタ１３は、その係合凸部１２ｃと係合凹部１３ｃの係合を、わざわざ取り外すことなく、それぞれを一体化したサポートユニット１４の状態で、そのまま再度の設置作業を行うことができる（図２（ａ））。
【００３７】
次に、外されたサポートユニット１４のサポート１２からコンセント１１を取り外し、新しいコンセントと交換して上述した施工手順に従って再度設置すればよい。
【００３８】
以上、本実施例によれば、アダプタ１３の枠体１３ｂに係合凹部１３ｃを、サポート１２に係合凸部１２ｃを形成し、これら係合凹部１３ｃと係合凸部１２ｃを係合させ、サポート１２とアダプタ１３を一体化してサポートユニット１４を構成することができる。これにより、施工に際しては、サポート１２の取り付けと同時にアダプタ１３も取り付けることができる。同時に、従来のように、壁面に支持されたサポートに対してアダプタを小さなねじにより取り付ける面倒な作業がなくなり施工性を向上させることができる。また、小さなねじを使用することなく施工できるので部品点数を削減することができ、施工性を向上させつつ、かつコスト的にも有利な配線装置用アダプタおよび配線装置を提供することができる。
【００３９】
また、サポート１２とアダプタ１３を一体化させるための構成は、単に合成樹脂製のアダプタ１３に係合凹部１３ｃを一体に成形して形成し、金属製のサポート１２に係合凸部１２ｃをプレス加工等で一体に形成するなど、簡単な手段で構成することができ、コスト的にも一層有利な配線装置を提供することができる。
【００４０】
さらに、サポート１２とアダプタ１３を一体化させる作業は、面倒なねじ締めを行わずに、単に係合凹部１３ｃを係合凸部１２ｃに係合させる簡単な操作で行うことができ、配線装置における施工性を一層向上させることができる。また、アダプタ１３の係合凹部１３ｃは、サポート１２の配線器具１１を保持する取付孔１２ｂの長手方向に沿う中心線ｘ−ｘに直交する線ｙ−ｙ側の枠体１３ｂの対向する辺にそれぞれ形成してあるので、縦長矩形状のアダプタ１３は枠体１３ｂの長手方向に沿って合成樹脂の弾性を利用し容易に外方に湾曲するように撓ませることができ、サポート１２とアダプタ１３を簡単に一体化させることができるので一層施工性が向上する。
【００４１】
さらに、係合凹部１３ｃは枠体１３ｂの裏面側から表面側に貫通する孔部１３ｃ１と、孔部に連接して表面側に開口する凹所１３ｃ２が形成される構成としたので、設置に際しては、サポート１２の係合凸部１２ｃの裏面が、アダプタ１３における係合凹部１３ｃの表面側に開口する凹所１３ｃ２を、表面側から壁面方向に向けて押圧し、アダプタ１３の外周縁部の裏面側が壁面Ｘに隙間なく密着し、一体化されたサポート１２と共に確実に支持することができる。
【００４２】
さらに、アダプタ１３の枠体１３ｂの表面側の一部（凹所１３ｃ２の表面）をサポート１２の裏面側の一部（係合凸部１２ｃの裏面）に対向させて係合し、アダプタ１３とサポート１２を一体化させるようにしたので、サポート１２がアダプタ１３の裏面側に突出することなくアダプタ１３の厚さ寸法内に収容することができ、これらを覆うための皿状をなす化粧板１５の深さ寸法を小さくすることが可能となり、全体として薄型の配線装置を提供することができる。因みに、逆に、枠体１３ｂの裏面側の一部をサポート１２の表面側の一部に対向させて係合した場合には、サポート１２がアダプタ１３の裏面側に突出して、サポート１２の厚さ寸法分、全体として厚くなってしまう。
【００４３】
また、係合凹部１３ｃにおける凹所１３ｃ２の面積および深さ寸法ａは、図１（ｂ）および図３（ａ）に示すように、サポート１２の係合凸部１２ｃの面積および厚さ寸法と略等しい寸法となるように構成し、サポート１２の係合凸部１２ｃを係合凹部１３ｃの孔部１３ｃ１に挿入し、係合凸部１２ｃを係合凹部１３ｃの凹所１３ｃ２に嵌めこみ、係合凸部１２ｃの両方の肩部１２ｃ１を係合凹部１３ｃの孔部１３ｃ１と凹所１３ｃ２の境目に形成される段部１３ｃ３に係合させる構成としたので、サポート１２がアダプタ１３の表面側に突出することなくアダプタ１３の厚さ寸法内に収容することができる。
【００４４】
これにより、図３（ｂ）に示すように、アダプタ１３を単にサポート１２と壁面Ｘとの間に挟みこむ方式に比較して、サポート１２がその厚さ寸法分、アダプタ１３の表面側に突出することがなくなり、これらを覆うための皿状をなす化粧板１５の深さ寸法を小さくすることが可能となり、さらに、全体として薄型の配線装置を提供することができる。図３（ａ）における壁面Ｘからサポート１２表面までの寸法ｂは、図３（ｂ）における壁面Ｘからサポート１２表面までの寸法ｃより小さくすることができる（ｂ＜ｃ）。
【００４５】
また、配線装置を取り外す際にも、従来のように、壁面に支持されたサポートに対して、小さなねじを外してアダプタを取り外す面倒な作業がなくなる。また、一体化されたサポート１２とアダプタ１３は、その係合凸部１２ｃと係合凹部１３ｃの係合を、わざわざ取り外すことなく、それぞれを一体化したサポートユニット１４の状態で、そのまま再度の設置作業を行うことができ、配線器具の交換等の作業性も向上させることができる。
【００４６】
以上、本実施例において、サポート１２の係合凸部１２ｃを枠部１２ｂの辺に形成したが、図４（ａ）に示すように、係合凸部を形成することなく、既存の凸部１２ｃ´を利用して構成してもよい。この場合、アダプタ１３の係合凹部１３ｃの大きさは、サポート１２の既存の係合凸部１２ｃ´が係合できる大きさの寸法に構成する。これによれば、サポート１２として既存のものを利用することができコスト的に一層有利となる。
【００４７】
また、係合凹部１３ｃをアダプタ１３に、係合凸部１２ｃをサポート１２に形成したが、図４（ｂ）（ｃ）  に示すように、逆に係合凹部１３ｃをサポート１２に鍵形の係合凸部１２ｃをアダプタ１３に形成してもよい。これにより、アダプタ１３の枠体１３ｂの表面側の一部（鍵形の係合凸部１２の表面側）をサポート１２の裏面側の一部（係合凹部１３ｃの裏面側）に対向させて係合し、アダプタ１３とサポート１２を一体化させることができる。この場合、サポート１２には凸部が形成されずに突出しないので、外径寸法を既存のサポートと同一の寸法となすことができ、従来の小さなねじが取り付けられるアダプタ支持用の孔１２ｅを形成しておけば、従来のねじ止め式のアダプタを取り付けることも可能となる。
【００４８】
さらに、サポート１２の係合凸部１２ｃを枠部１２ａの縦長矩形状の取付孔１２ｂの長手方向に沿う中心線ｘ−ｘに直交する線ｙ−ｙに位置する辺に形成し、アダプタ１３の係合凹部１３ｃをサポート１２の枠部１２ａの縦長矩形状の取付孔１２ｂの長手方向に沿う中心線ｘ−ｘに直交する線ｙ−ｙ側に位置する辺に形成したが、サポート１２の係合凸部１２ｃを枠部１２ａの縦長矩形状の取付孔１２ｂの長手方向に沿う中心線ｘ−ｘと平行な辺（図１（ａ）の左右の辺）に形成し、アダプタ１３の係合凹部１３ｃをサポート１２の枠部１２ａの縦長矩形状の取付孔１２ｂの長手方向に沿う中心線ｘ−ｘと平行な辺（図１（ａ）の左右の辺）に形成してもよい。
【００４９】
また、図５に示すように、配線器具を横３連等、多連式に設置するように構成してもよい。この場合、アダプタ１３の係合凹部１３ｃは、サポート１２の枠部１２ａの縦長矩形状の取付孔１２ｂの長手方向に沿う中心線ｘ−ｘに直交する線ｙ−ｙ側に位置する辺（図中上下の辺）に、各サポート１２の２個の係合凸部１２ｃに対応させて、上下６個づつ、合計１２個形成する。これにより、３個のサポート１２を大きな枠体１３ｂからなるアダプタ１３に一体化させた状態で、３個のサポートの取り付けと同時に大きなアダプタ１３を壁面Ｘに設置することが可能となり、多連式における施工性をより一層向上させることもがきる。
【００５０】
なお、変形例を示す図４、図５には、図１〜図３と同一部分に同一符号を付し、詳細な説明は省略した。以上、本発明の好適な実施形態を説明したが、本発明は上述の実施例に限定されることなく、本発明の要旨を逸脱しない範囲内において、種々の設計変更を行うことができる。
【符号の説明】
【００５１】
１０  配線装置
１１  配線器具
１２  サポート
１３  配線装置用アダプタ
１３ａ  開口部
１３ｂ  枠体
１３ｃ  係合部
１３ｄ  係止部
１４  サポートユニット
１５  化粧板
１５ａ  窓孔
Ｘ    被取付部材
２０  設置孔
【図１】
2011036021.tif 000003
【図２】
2011036021.tif 000004
【図３】
2011036021.tif 000005
【図４】
2011036021.tif 000006
【図５】
2011036021.tif 000007